(57)【特許請求の範囲】
【請求項１】
（イ）クラブのシャフトに、シャフト長尺方向を軸として回転させたときに、この回転運動に対して、互いに回転エネルギーの伝達位相差のある連結部を設ける。
（ロ）互いに接触があったときに、接触に伴って音を出す関係にある構成物を準備する。
（ハ）上述の、互いに接触があったときに、接触に伴って音を出す関係にある構成物の一方を、上述の、互いに回転エネルギーの伝達位相差のある連結部の一つに取り付ける。
（ニ）クラブのシャフトのシャフト長尺方向を軸とする回転運動において、上述の、互いに回転エネルギーの伝達位相差のある連結部の一つに取り付けた、接触に伴って音を出す関係にある構成物の一方が描く円軌道の、この構成物の一方が進む方向に、上述の、互いに接触があったときに、接触に伴って音を出す関係にある構成物のもう一方を、上述の、シャフト長尺方向を軸として回転させたときに、この回転運動に対して、互いに回転エネルギーの伝達位相差のある連結部のもう一つに取り付け、構成物の一方と構成物のもう一方が互いに接触し、且つ、接触に伴って音を出すことが可能な位置関係に配置する。
以上のような構成のゴルフスイング練習クラブ。
【発明の詳細な説明】
【０００１】
【発明の属する技術分野】
本発明はゴルフスイングの練習用クラブに関するものである。
【０００２】
【従来の技術】
近年ゴルフ人口が増加し続けているが、それに伴っていろいろな練習機器が販売されている。代表的なものとしては、イミテーションボール、ゴルフボールに紐を付けた機器、あるいはゴルフボールを回転するアームの先端に付けた機器などで、本物のクラブで打って練習するものが多い。これらを打ったときに生じるボール側のアクション、音やシャフトから伝わる打球感で自分のスイングを判断しようとするものだが、スイング自体の判断基準がないため、単にボールにクラブのヘッドを当てるだけの練習になってしまうことが多かった。
【０００３】
スイングのみを練習するための機器もいくつか販売されている。代表的なものとしては、シャフト全体がゴムホースのように柔らかいクラブ、両腕の間の距離を制限するようにできたロープの輪、クラブを振り上げる位置を一定にするためクラブに取り付けたアダプターが体の一部に接触して止まるものなどがある。しかし、これらの機器はスイングを形成するための一助にはなるが、スイング全体を作り上げたり、スイングの良否を判断するのには、理想的とは言えなかった。スイングを学んだり矯正したりするための、シミュレーターや高速撮影装置なども販売されているが、これはあまりにも高価である上に熟練されたインストラクターの助けを借りなければならなかった。
【０００４】
ゴルフ経験者なら誰でも良いスイングの習得が難しいことを知っている。良いスイングとは方向性と飛距離を望めるスイングである。では、飛距離と方向性を望める理想的なスイングとはどんなものだろう。誰もが納得する答えとしては、ヘッドスピードのでる安定したフォームのスイングということになる。フォームを安定させるには、スイングに無理がないことも大事だが、やはり練習者の努力に期待するしかないだろう。しかし無理のないスイングをするためには、ヘッドスピードが自然にでるスイングでなければならない。
【０００５】
【発明が解決しようとする課題】
ヘッドスピードは振り始めから振り終わりまで急激に変化する。その中でヘッドがトップスピードになった瞬間にボールに当たれば理想的だが、そのためにはボールに当たる瞬間までヘッドが加速し続ける必要がある。ところが飛距離に悩む多くのゴルフプレーヤーは、振り始めから途中まではヘッドを加速させるが、ボールにヘッドが当たる直前くらいになるとクラブを惰性で振っているため、それ以上にヘッドを加速させることなくボールを打っている。当然のことだが飛距離は伸びない。
【０００６】
分解写真などでプロゴルファーのスイングにおけるヘッドのフェイスの向きを見ると、ボールを打つ直前までは打者の体の前面と同じ向きで、打った直後には１８０度反対側を向いている。つまり打つ直前から直後への一瞬でクラブを捻って、シャフトを軸として１８０度回転させていることになる。
【０００７】
この動作の意味は、実際に試してみれば分かることだが、左右それぞれ片手でクラブを自分の体の前くらいで軽く振りながら、これに腕でクラブを１８０度捻る動作、すなわち腕が肩の位置を中心として体の外側に出て行くときは手のひらを上に向ける動作、体の内側に入ってくるときは手のひらを下に向ける動作、これを加えてみると、クラブは急に大きく振れる。振れるスピードも数十パーセント速くなる。これは両手で正規のグリップをしてスイングしたときにも同様のことが起こる。
【０００８】
このクラブを捻る動作はクラブの振りを大きくし、ヘッドを加速させることができる。つまり、ボールにヘッドが当たる直前くらいのときに、クラブを惰性で振っているためにヘッドの加速が止まってしまう人も、このクラブを捻る動作を利用すれば、ボールに当たるまでヘッドを加速させ続けることができる。
【０００９】
本発明は練習者に、この、クラブを捻る動作を容易に認識させるとともに、ボールに当たるまでヘッドを加速させる動作をスイングに加えることを容易にし、ヘッドスピードのでるスイングを無理なく習得するための機器、ゴルフスイング練習用クラブを提供しようとするものである。
【００１０】
【課題を解決するための手段】
本発明はこの課題を解決するために、以下のような構成とした。
（イ）クラブのシャフトに、シャフト長尺方向を軸として回転させたときに、この回転運動に対して、互いに回転エネルギーの伝達位相差のある連結部を設ける。
（ロ）互いに接触があったときに、接触に伴って音を出す関係にある構成物を準備する。
（ハ）上述の、互いに接触があったときに、接触に伴って音を出す関係にある構成物の一方を、上述の、互いに回転エネルギーの伝達位相差のある連結部の一つに取り付ける。
（ニ）クラブのシャフトのシャフト長尺方向を軸とする回転運動において、上述の、互いに回転エネルギーの伝達位相差のある連結部の一つに取り付けた、接触に伴って音を出す関係にある構成物の一方が描く円軌道の、この構成物の一方が進む方向に、上述の、互いに接触があったときに、接触に伴って音を出す関係にある構成物のもう一方を、上述の、シャフト長尺方向を軸として回転させたときに、この回転運動に対して、互いに回転エネルギーの伝達位相差のある連結部のもう一つに取り付け、構成物の一方と構成物のもう一方が互いに接触し、且つ、接触に伴って音を出すことが可能な位置関係に配置する。
以上のような構成のゴルフスイング練習クラブ。
【００１１】
この形状によって、シャフトに、シャフト長尺方向を軸とする回転が生じたときに、シャフトの回転運動に対して、互いに回転エネルギーの伝達位相差のある連結部の一つに取り付けた、接触に伴って音を出す関係にある構成物の一方が、互いに回転エネルギーの伝達位相差のある連結部のもう一つに取り付けた、接触に伴って音を出す関係にある構成物のもう一方に接触して音を出す。したがって、音が出たときにシャフトに回転運動があったことを確認できる。打球の直前から直後にかけてシャフトに回転運動があったということは、打球の直前から直後にかけて滑らかに加速できるスイングだということが分かる。
【００１２】
また、どのような回転をしたかどうかや、スイング全体としてのスピードが、そのまま音の大きさや鋭さとなって表れるので、シャフトの回転だけでなく、スイング全体の状態が分かりやすく、本発明のゴルフスイング練習クラブを振ってみるだけで、ボールにヘッドが当たる瞬間まで滑らかに加速できるスイングなのかどうかを客観的に判断して調整できる。
【００１３】
単に音の大きさや鋭さだけなら、初心者でもただちに理解と判断を得ることができるので、最初から良いスイングが身に付きやすい。入門者などは、しばらく本発明を振る練習をしてから実際にボールを打つようにすれば、想像していたイメージと実際とのギャップに悩まずに上達できる。
【００１４】
また、本物のクラブでボールを打つことと本発明を振ることを交互に行うことで、次第に本発明のスイングだけでボールの飛び具合まで予測できるようになり実際の打球が納得の行く飛びかたをしない場合には、次のショットまでの間に本発明でスイングを調整することもできる。
【００１５】
熟練者にとって、本発明で大きな鋭い音を出すことは簡単だが、熟練者は初心者には分からないような微妙なスイングの違いによる音の変化を聴き取ることができるので、ボールを打つことができない場合でも本発明を振るだけでスイングを確認したり、フォームの崩れを認識することも可能だし、自分独自のスイングを創り上げる補助役として使用することもできる。
【００１６】
【発明の実施の形態】
本発明の実施の形態を図１図２図３について説明すると、このゴルフスイング練習クラブは、ほぼ本物のクラブのヘッドがある位置に、ほぼ本物のヘッドの向きに、先を丸くした剛性の厚みを持つ細長いステンレス製平板（１）と、このステンレス製平板（１）より少し短い、先細りで先端を丸くしたゴム製平板（２）を重ねて、両者の後端をシャフト（１１）の先部中央に挟持してビス（３）留めしたものである。この実施例ではゴルフスイング練習クラブを構えたときに、ステンレス製平板（１）の右側にゴム製平板（２）があるが、これは右利きの人用の配置である。ゴム製平板（２）は静止状態においてはほぼ平板の形状を維持でき、シャフトのシャフト長尺方向を軸とする急激な回転運動に対しては弾性を発揮する強度と厚みを持たせてある。
【００１７】
このゴルフスイング練習クラブで良いスイングをした場合、シャフトは打球位置の直前から直後にかけて急激に、シャフト長尺方向を軸として１８０度近く回転し、フェースの向きも同様に回転する。ステンレス製平板（１）はシャフトの回転に対して剛性であるため、シャフトと同時に回転する。ゴム製平板（２）は慣性の法則とその弾性のために先端部に近い部分ほどシャフトの回転に遅れて曲がる。グリップ（１２）からの力の伝達でシャフト（１１）の回転が止まると、シャフトの回転に対して剛性であるステンレス製平板（１）の回転も同時に止まるが、ゴム製平板（２）においては、シャフトを回転させる時の力は既に伝達され、その弾性によって急激にその曲がった部分の形状を戻そうとするが、シャフトの回転を止めたときの力は伝達されていないため、最初に加えられた回転のエネルギーの分の運動を続けようとし、回転運動を止めたステンレス製平板（１）に接触する。このときに衝撃音を発する。
【００１８】
この実施形態においては、ゴム製平板（２）のうちの、シャフトから遠い部分が、互いに接触があったときに、接触に伴って音を出す関係にある構成物の一方にあたり、それよりもシャフトに近い部分が、シャフトの回転エネルギーを僅かに遅れて伝えるところの、互いに回転エネルギーの伝達位相差のある連結部の一つにあたる。つまり、ゴム製平板（２）は、互いに接触があったときに、接触に伴って音を出す関係にある構成物の一方と、互いに回転エネルギーの伝達位相差のある連結部の一つの、両方の役割を兼ねている。
ステンレス製平板（１）のうち、シャフトから遠い部分が、互いに接触があったときに、接触に伴って音を出す関係にある構成物のもう一方にあたり、それよりもシャフトに近い部分が、シャフトの回転エネルギーをそのまま伝えるところの、互いに回転エネルギーの伝達位相差のある連結部のもう一つにあたる。つまり、ステンレス製平板（１）は、互いに接触があったときに、接触に伴って音を出す関係にある構成物のもう一方と、互いに回転エネルギーの伝達位相差のある連結部のもう一つの、両方の役割を兼ねている。
ゴム製平板（２）をステンレス製平板（１）より少し短くするのは空気抵抗を避けるのと衝撃エネルギーを効率良く音に変えるためである。また、ゴム製平板（２）を先細りに形成するのはゴム製平板自体の捩れによるエネルギーの分散を防ぐためである。ステンレス製平板（１）は厚みを変えたり他の材質を採用すれば、重量調節も簡単にできる。
【００１９】
この実施形態の良いところとしては、発音がはっきりしていて分かりやすいこと、目標とする音が分かりやすいということ、形状の上でも意図が分かりやすいなどの利点を挙げることができる。
【００２０】
次に他の実施の形態を図４図５図６について説明する。
この実施形態では、疑似クラブのシャフトにグリップ側から見て時計方向にのみ回転するベアリング（７）を介して重量ホイール（４）がとりつけてあり、重量ホイール（４）の内側には多数の鋼製の発音板（５）を設けてある。又、シャフトにこの発音板（５）と接触する高さのバネ突起（６）を設けてある。このグリップ側から見て時計方向にのみ回転するベアリング（７）は右利きの人用の仕様である。
【００２１】
この実施形態のゴルフスイング練習クラブにおいても、良いスイングをした場合には、打球位置の直前から直後にかけてシャフト（１１）が急激に、シャフト長尺方向を軸として１８０度近く回転する。シャフトに設けたバネ突起（６）はシャフト（１１）の回転に対して剛性であるためシャフトと同様に回転するが、発音板（５）は重量ホイール（４）とベアリング（７）を介してあるため、重量ホイール（４）の慣性によってほとんど回転せず、結果としてシャフト（１１）に設けたバネ突起（６）が発音板（５）につぎつぎと接触して音を発する。この間、バネ突起（６）と発音板（５）の接触が僅かにシャフト（１１）の回転エネルギーを伝達するが、重量ホイール（４）がこのエネルギーを吸収するので、実質的には回転しない発音板（５）をバネ突起（６）がほぼシャフト（１１）の回転した角度の分の数だけ発音させることになる。
【００２２】
この実施形態においては、バネ突起（６）の先端部、すなわち発音板（５）に接触する部分が、互いに接触があったときに、接触に伴って音を出す関係にある構成物の一方にあたる。バネ突起（６）のうちの、先端部以外の部分が、互いに回転エネルギーの伝達位相差のある連結部の一つにあたり、シャフトの回転エネルギーをほぼそのまま伝える連結部である。つまり、バネ突起（６）が、互いに接触があったときに、接触に伴って音を出す関係にある構成物の一方と、互いに回転エネルギーの伝達位相差のある連結部の一つの、両方の役割を兼ねている。
発音板（５）は、互いに接触があったときに、接触に伴って音を出す関係にある構成物のもう一方にあたる。重量ホイール（４）とホイールの支柱部（８）とベアリンク（７）は、互いに回転エネルギーの伝達位相差のある連結部のもう一つにあたり、シャフトの回転エネルギーを極力伝えない連結部である。
この実施形態におけるホイール（４）の重さはスイング感と密接な関係にあるので、比較的軽い場合はシャフトのヘッドの近くに、比較的重い場合はグリップの近くに設けるようにし、スイング時の風圧や発音板（５）やバネ突起（６）の強度との関係も良く調整する必要がある。
【００２３】
この実施形態の良いところは、シャフトやヘッドの回転とリアルタイムに音がでることと、発音が一度にとどまらないため、スイングの状態をより正確に表すことができることである。また、特定の発音板（５）だけ音の異なるものにしてスイングするたびに特定の発音板を決まった位置にリセットするようにすれば、クラブのシャフトやヘッドが一定の向きになったときに、特定の発音板の音を聞くことができる。
【００２４】
重量ホイールの代わりに軽量ホイール（４）に方向舵（９）を取り付けても、空気抵抗によってホイールの回転を防ぐことができる。方向舵（９）は、互いに回転エネルギーの伝達位相差のある連結部のもう一つの、一部分である。
【００２５】
本発明のいずれの実施形態でも、本物のゴルフクラブに着脱可能なかたちをとることは可能だが、周囲のものを破壊殺傷し得るエネルギーが発揮される運動を行うことからすれば、安易に着脱方式をとるべきではない。室内などの狭い場所で練習可能にするために、シャフトを本物のクラブより短くすることは有益である。実際にボールを打つときに戸惑いが起こらないように、疑似ヘッド（１０）類の目標物を配してあることが望ましい。
【００２６】
【発明の効果】
本発明は、ゴルフスイングにおいて一番分析が難しいとされている打球の直前直後の一瞬を、ゴルフクラブの動きという観点から分析し、その状況を誰にでも分かりやすい単純な音に置き換えることで解決したものである。
【００２７】
本発明は構成の意図が分かりやすく、スイングの状態がそのまま音になって表れるため、身近に指導者がいない場合であっても、練習者はこの音から、複雑な解釈や思考を必要とすることなく、ただちに自分のスイングを客観的に認識し判断することができる。本発明は、打球の直前直後にかけての加速状況の認識や分析に最適であるばかりでなく、結果的にそこに至るまでのスイングの状況も音に表すため、最終的にスイング全体を認識判断することができる。したがって、初心者にとっては基本的な良いスイングが身に付きやすく、熟練者は微妙なスイングを調整することもできる。また、自然にヘッドスピードのでるスイングを身に付けることが可能なため、無理なスイングをして体を傷めずに済む。
【００２８】
実際にボールを打つことと本発明によるスイング練習を交互に行うようにすると、次第に本発明のスイングだけでボールの飛び具合まで予測できるようになりラウンドプレー中に思ったようにボールが飛ばないときなどでも、次のショットまでの間に本発明でスイングを調整することもできる。
【図面の簡単な説明】
【図１】  正面図。
【図２】  平面図。
【図３】  図２のＡ−Ａ′線における断面図。
【図４】  斜視図。
【図５】  グリップの方から見た側面図。
【図６】  図５のＢ−Ｂ′線における断面の部分図。
【図７】  部品の斜視図。
【符号の説明】
１  ステンレス製平板
２  ゴム製平板
３  ビス
４  ホイール
５  発音板
６  バネ突起
７  ベアリング
８  ホイールの支柱部
９  方向舵
１０  疑似ヘッド
１１  シャフト
１２  グリップ
【図１】
0004019370.tif 000002
【図２】
0004019370.tif 000003
【図３】
0004019370.tif 000004
【図４】
0004019370.tif 000005
【図５】
0004019370.tif 000006
【図６】
0004019370.tif 000007
【図７】
0004019370.tif 000008